(57)【要約】【課題】吸気した冷却風が冷却風路を通る過程でグリルケースの外側壁で温められるのを防ぐことができ、冷却効率が高い加熱調理器を提供する。  【解決手段】本体ケース２の下部の左右方向の略中央に設けられたグリル１１とトッププレート３との間に設けられ、誘導加熱コイル４を搭載する仕切板２１と、グリル１１の左右両側の前面に各々設けられた吸気口８に連通され、グリルケース１１ａの両側の外側面を各々所定の間隔をおいて覆った遮熱板２３、この遮熱板２３に対向する本体ケ−ス２の内側面２ａ、本体ケース２の底面２ｂ及び仕切板２１とで囲まれた下部冷却風路２５と、仕切板２１とトッププレート３との間に設けられ、下部冷却風路２５とトッププレート３の排気口２８とを連通する上部冷却風路２６とを備える。【選択図】図４
2008171720.tif 000002
【特許請求の範囲】
【請求項１】
本体ケースと、  
この本体ケースの上部に設けられたトッププレートと、
前記本体ケースの下部の左右方向の略中央に設けられたグリルと、
このグリルと前記トッププレートとの間に設けられ、誘導加熱コイルまたは加熱源を搭載する仕切板と、            
前記グリルの左右両側の前面に各々設けられた吸気口に連通され、前記グリルのグリルケースの両側の外側面を各々所定の間隔をおいて覆った遮熱板、この遮熱板に対向する前記本体ケ−スの内側面、前記本体ケースの底面及び前記仕切板とで囲まれた下部冷却風路と、
前記仕切板と前記トッププレートとの間に設けられ、前記下部冷却風路と前記トッププレートの排気口とを連通する上部冷却風路と、
を備えたことを特徴とする加熱調理器。
【請求項２】
前記下部風路内に、断面下向きのコの字状のダクトを設け、このダクト内を下部冷却風路としたことを特徴とする請求項１記載の加熱調理器。
【請求項３】
前記下部風路内に、断面ロの字状のダクトを設け、このダクト内を下部冷却風路としたことを特徴とする請求項１記載の加熱調理器。
【請求項４】
前記下部風路内に、断面Ｌ字状のアングル材と本体ケースの内側面と底面で囲まれたダクトを設け、このダクト内を下部冷却風路としたことを特徴とする請求項１記載の加熱調理器。
【請求項５】
前記下部冷却風路の前記遮熱板を除くとともに、前記ダクトをグリルケースの両側の外壁から所定の間隔をおいて配設したことを特徴とする請求項２〜４のいずれかに記載の加熱調理器。
【請求項６】
前記下部冷却風路内に制御用の基板を設けたことを特徴とする請求項１〜５のいずれかに記載の加熱調理器。
【請求項７】
前記下部風路内に吸気ファンを設けたことを特徴とする請求項１〜６のいずれかに記載の加熱調理器。
【請求項８】
前記吸気ファンを前記下部風路の前記吸気口側に設け、前記吸気ファンの下流側の前記下部冷却風路の前記グリルケース側の側面に冷却風を吹き出す吹出口を設けたことを特徴とする請求項１〜７のいずれかに記載の加熱調理器。
【発明の詳細な説明】
【技術分野】
【０００１】
この発明は、グリルを備え誘導加熱により加熱する加熱調理器に関する。
【背景技術】
【０００２】
従来の加熱調理器は、本体の略中央にグリルを配設し、グリルを挟んで略対称に複数の上方加熱装置と制御装置と冷却ファンと吸気口と排気口を配設することで、左右の冷却バランスを取り効率的な冷却構成としている（例えば、特許文献１参照）。
【０００３】
【特許文献１】特開２００２−３１３５３号公報（段落００１４、００１５、図１）
【発明の開示】
【発明が解決しようとする課題】
【０００４】
従来の加熱調理器は、グリルは金属のグリルケースで囲まれているだけであり、前面から吸い込んだ冷却風が、グリルを挟んで左右略対称の位置に配置されている制御装置や誘導加熱コイルを通過する前にグリルケースの金属表面によって温められるので、制御装置や誘導加熱コイルを十分に冷却できず、冷却効率が低くなるという問題があった。
【０００５】
この発明は上記の問題を解決するためになされたものであり、吸気した冷却風が冷却風路を通る過程でグリルケースの外側壁で温められるのを防ぐことができ、冷却効率が高い加熱調理器を提供することを目的とする。
【課題を解決するための手段】
【０００６】
この発明に係る加熱調理器は、本体ケースと、この本体ケースの上部に設けられたトッププレートと、前記本体ケースの下部の左右方向の略中央に設けられたグリルと、このグリルと前記トッププレートとの間に設けられ、誘導加熱コイルまたは加熱源を搭載する仕切板と、前記グリルの左右両側の前面に各々設けられた吸気口に連通され、前記グリルのグリルケースの両側の外側面を各々所定の間隔をおいて覆った遮熱板、この遮熱板に対向する前記本体ケ−スの内側面、前記本体ケースの底面及び前記仕切板とで囲まれた下部冷却風路と、前記仕切板と前記トッププレートとの間に設けられ、前記下部冷却風路と前記トッププレートの排気口とを連通する上部冷却風路と、を備えたものである。
【発明の効果】
【０００７】
この発明によれば、グリルの左右両側の前面に各々設けられた吸気口に連通され、グリルのグリルケースの両側の外側面を各々所定の間隔をおいて覆った遮熱板、この遮熱板に対向する前記本体ケ−スの内側面、本体ケースの底面及び仕切板とで囲まれた下部冷却風路を備えたので、本体ケースの前面から吸気した冷却風が冷却風路を通る過程でグリルケースの外側壁で温められるのを防ぐことができ、冷却効率をよくすることができる。
【発明を実施するための最良の形態】
【０００８】
実施の形態１．
図１は、この発明の実施の形態１を示す加熱調理器の斜視図、図２は図１の加熱調理器のトッププレートを外したときの斜視図、図３は図１のＡ−Ａ縦断面図、図４は図１の加熱調理器の仕切板を外したときの斜視図、図５は冷風の流れを示す図２の平面図である。
【０００９】
図１〜３において、加熱調理器１は、本体ケース２と、本体ケース２の上部に設けられたトッププレート３と、本体ケース２の下部の左右方向の略中央に設けられたグリル１１と、このグリル１１とトッププレート３との間に設けられた仕切板２１と、グリル扉７と、グリル扉７の左右に設けられ、操作つまみ１２が設けられた前面パネル９と、本体ケース２の前面でグリル１１の左右に各々設けられた吸気口８とが備えられている。なお、空気は前面パネル９の下方から吸気口８へ吸気される。
【００１０】
仕切板２１には、左右に誘導加熱コイル４と、後部にラジエントヒーター５と、駆動回路基板１８と、冷却ファンユニット１７と、冷却ファンユニット１７に連通され誘導加熱コイル４を冷却するコイル冷却ダクト１６が搭載され、また、通風口１９が設けられ、グリル排気ダクト２０が下方から挿入されている。
また、トッププレート３は、表面に誘導加熱コイル４やラジエントヒーター５で加熱するときに鍋６のセット位置４ａ、５ａが示されたガラス板３ａと、後部に設けられた排気口２８と、排気口カバー１０とで構成されている。
【００１１】
また、吸気口８と仕切板２１の通風口１９との間に下部冷却風路２５が設けられ、通風口１９と冷却ファンユニット１７の間に風路カバー１５が設けられており、通風口１９と、風路カバー１５と、冷却ファンユニット１７と、コイル冷却ダクト１６と、排気口２８とで上部冷却風路２６が構成される。
【００１２】
図３と図４において、下部冷却風路２５は、グリル１１の左右両側の前面に各々設けられた吸気口８、グリル１１のグリルケース１１ａの両側の外側面との間に隙間２４を設けるように所定の間隔（例えば数ミリ程度）をおいて覆った遮熱板２３と、この遮熱板２３と対向する本体ケ−ス２の内側面２ａと本体ケース２の底面２ｂと仕切板２１とで囲まれて形成されている。
【００１３】
次に、この発明の実施の形態１を示す加熱調理器の冷却風の流れについて図３〜５により説明する。冷却ファンユニット１７の吸引力によって本体ケース２の前面の左右の吸気口８から吸い込まれた冷却風は、左右の下部冷却風路２５を流れ本体ケース２の下部の後部まで導かれ、この後、本体ケース２の後部壁面に沿って左右に分かれたまま上昇する。そして、上部冷却風路２６の仕切板２１の通風口１９を通過した冷却風は吸風路カバー１５によって前方へ折り曲げられ、それぞれ、前方に設けられた制御用の基板１８を冷却し、冷却ファンユニット１７に吸引された冷却風は、コイル冷却ダクト１６から誘導加熱コイル４に向けて吹き出して誘導加熱コイル４を冷却する。誘導加熱コイル４を通過した冷却風は誘導加熱コイル８の外周に沿って外側から回り込んで前方中央部に集まり、この後、後方のラジエントヒーター５に向けて流れ込んでラジエントヒーター５を冷却する。この後、ラジエントヒーター５を冷却した空気は排気口２８から上方外部へ排出される
【００１４】
以上のように、下部冷却風路２５は、グリル１１の左右両側の前面に各々設けられた吸気口８、グリル１１のグリルケース１１ａの外側面を各々所定の間隔をおいて覆った遮熱板２３と、この遮熱板２３と対向する本体ケ−ス２の内側面２ａと本体ケース２の底面２ｂと仕切板２１とで囲まれて形成されているので、本体ケース２の前面から吸気した冷却風が冷却風路を通る過程でグリルケース１１ａの外側壁で温められるのを防ぐことができ、冷却効率をよくすることができる。
【００１５】
実施の形態２．
図６は、この発明の実施の形態２を示す加熱調理器の仕切を外したものの斜視図である。図６は、実施の形態１の下部冷却風路２５内に、断面下向きのコの字状のダクト２９を設け、このダクト内を下部冷却風路２７としたものであり、他は、実施の形態１と同じであり、説明を省略する。
【００１６】
この構成において、ダクト２９により、吸気口８から流入した冷風を効率良く後部に導かれ、グリルケース１１ａの外側壁で温められるのをよりよく防ぐことができ、冷却効率をよりよくすることができる。
【００１７】
また、図７に示すように図６の遮熱板２３を除いたものとしてもよい。この場合はグリルケース１１ａとダクト２９の側面とに隙間２４を設ける。この場合は、構造を簡単にして冷却効率をよくすることができる。
また、本実施の形態では断面下向きのコの字状のダクト２９を示したが、断面ロの字状のダクトでもよい。
また、図８に示すように断面Ｌ字状のアングル材３０と本体ケース２の側壁内面２ａと底面の側壁内面２ｂで囲まれたダクトとしてもよい。
なお、ダクト２９を遮熱板で成形したものとしてさらに効果を上げるようにしてもよい。図８では熱遮蔽板２３を除いているが、熱遮蔽板２３を用いて冷却効率をよりよくしてもよい。
【００１８】
実施の形態３．
図９は、この発明の実施の形態３を示す加熱調理器の下部の横断面図、図１０は加熱調理器の冷却風路の縦断面図である。図９、図１０は、実施の形態２のダクト２９内に制御用の基板１８を設けたものであり、他は同じであり説明を省略する。
【００１９】
この構成において、下部冷却風路に制御用の基板１８を設けたので、吸気口８近くの吸入した冷気で冷却されるので、制御用の基板１８の冷却効率を向上させることができる。
【００２０】
なお、図１１に示すように実施の形態１の図４に示した下部冷却風路２５に制御用の基板１８を設けてもよく、また、図１２に示すように、実施の形態２の図７で示したダクト２９内に制御用の基板１８を設けてもよい。
【００２１】
実施の形態４．
図１３は、この発明の実施の形態４を示す加熱調理器の下部の横断面図である。図１３は実施の形態３の図９のダクト２９内の吸気口８側に吸気ファン３１を設けたものであり、他は同じであり説明を省略する。
【００２２】
このように、ダクト２９内の吸気口８側に吸気ファン３１を設けたので、吸気口８から流入した冷風が効率良く後部に導かれ、グリルケース１１ａの外側壁で温められるのをよりよく防ぐことができ、冷却効率をよりよくすることができる。
なお、ダクト２９内の後方に吸気ファン３１を設けてもよい。また、実施の形態３の図１１、図１２においても同様にダクト２９内の吸気口８側または後方に吸気ファン３１を設けてもよい。
【００２３】
実施の形態５．
図１４は、この発明の実施の形態５を示す加熱調理器の下部の横断面図、図１５は加熱調理器の冷却風路の縦断面図である。図１４、図１５は、実施の形態４の図１３の吸気ファン３１の下流側でダクト２９のグリル外壁面側と、遮熱板２３とに冷却風をグリルケース１１ａの側壁に向けて吹き出す吹出し口３２、３３を各々設け、この吹き出した冷却風をグリルケース１１ａの側壁と遮熱板２３の間の隙間２４及びグリルケース１１ａの上部壁面と仕切板２１との間隙３５に冷風を流しグリル１１を冷却する。
なお、ダクト２９の吹き出し口３２の下流側に、吸気口８からの冷風を吹き出し口３２に導くようにダクト２９の内側方向で、吸気口８方向に傾斜したガイド突起部３２ａを設けている。
【００２４】
また、図１６に示すように、実施の形態３の図１１において、上記と同様に遮熱板２３の吸気口８側に吸気ファン３１を設け、吸気ファン３１の下流側で遮熱板２３のグリル外壁面側に冷却風をグリルケース１１ａの側壁に向けて吹き出すガイド突起部３３ａを有する吹出し口３３を設け、グリルケース１１ａの側壁と遮熱板２３との間の隙間２４及びグリルケース１１ａの上部壁面と仕切板２１との間隙３５に冷風を流すようにしてもよい。
【００２５】
また、図１７に示すように、実施の形態３の図１２において、上記と同様に遮熱板２３の吸気口８側に吸気ファン３１を設け、吸気ファン３１の下流側でダクト２９のグリルケース１１ａの外壁面側に冷却風を、グリルケース１１ａの側壁に向けて吹き出すガイド突起部３２ａを有する吹出し口３２を設け、この吹き出した冷却風をグリルケース１１ａの側壁と遮熱板２３の間の隙間２４及びグリルケース１１ａの上部壁面と仕切板２１との間隙３５に冷風を流すようにしてもよい。
【００２６】
以上のように、吸気ファン３１を下部風路２７の吸気口８側に設け、吸気ファン３１の下流側の下部冷却風路の遮熱板２３または遮熱板２３及びダクト２９のグリルケースの外側面１１ａ側に冷却風を吹き出す吹出口を設けたので、グリルケース１１ａを冷却し、本体ケース２の前面から吸気した冷却風がグリルケース１１ａの外側壁で温められるのをよりよく防ぐことができ、冷却効率をよりよくすることができる。
【図面の簡単な説明】
【００２７】
【図１】この発明の実施の形態１を示す加熱調理器の斜視図である。
【図２】図１の加熱調理器のトッププレートを外したときの斜視図である。
【図３】図１のＡ−Ａ縦断面図である。
【図４】図１の加熱調理器の仕切板を外したときの斜視図である。
【図５】この発明の実施の形態１を示す加熱調理器の冷風の流れを示す平面図である。
【図６】この発明の実施の形態２を示す加熱調理器の仕切を外したものの斜視図である。
【図７】この発明の実施の形態２を示す加熱調理器の仕切を外したものの斜視図である。
【図８】この発明の実施の形態２を示す加熱調理器の下部風路の断面図である。
【図９】この発明の実施の形態３を示す加熱調理器の下部の横断面図である。
【図１０】この発明の実施の形態３を示す加熱調理器の下部の横断面図である。
【図１１】この発明の実施の形態３を示す加熱調理器の下部の横断面図である。
【図１２】この発明の実施の形態３を示す加熱調理器の下部の横断面図である。
【図１３】この発明の実施の形態４を示す加熱調理器の下部の横断面図である。
【図１４】この発明の実施の形態５を示す加熱調理器の下部の横断面図である。
【図１５】この発明の実施の形態５を示す加熱調理器の下部の縦断面図である。
【図１６】この発明の実施の形態５を示す加熱調理器の下部の横断面図である。
【図１７】この発明の実施の形態５を示す加熱調理器の下部の横断面図である。
【符号の説明】
【００２８】
１ 加熱調理器、２ 本体ケース、２ａ 内側面、２ｂ底面、３ トッププレート 、４ 誘導加熱コイル、５ ラジエントヒーター、８ 吸気口、１１ グリル、１６ コイル冷却ダクト、１７ 冷却ファンユニット、１８ 基板、１９ 通風口、２１ 仕切板、２３ 遮熱板、２４ 隙間、２５、２７ 下部冷却風路、２６ 上部冷却風路、２８ 排気口、２９ ダクト、３０ アングル材、３１ ファン、３１ 吸気ファン、３２ａ、３３ａ ガイド突起部、３２、３３吹き出し口、３５ 間隙。
【図１】
2008171720.tif 000003
【図２】
2008171720.tif 000004
【図３】
2008171720.tif 000005
【図４】
2008171720.tif 000006
【図５】
2008171720.tif 000007
【図６】
2008171720.tif 000008
【図７】
2008171720.tif 000009
【図８】
2008171720.tif 000010
【図９】
2008171720.tif 000011
【図１０】
2008171720.tif 000012
【図１１】
2008171720.tif 000013
【図１２】
2008171720.tif 000014
【図１３】
2008171720.tif 000015
【図１４】
2008171720.tif 000016
【図１５】
2008171720.tif 000017
【図１６】
2008171720.tif 000018
【図１７】
2008171720.tif 000019